(57)【特許請求の範囲】
【請求項１】
擬毛（４０）が植えられてカツラを構成するカツラベース（１１）であって、
前頭周縁が複数の山部（２０）を含む波形状に形成されているカツラベース本体（１０）と、
折線（３１）において２つ折りにした状態で、上記前頭周縁の山部（２０）を挟み込むようにしてカツラベース本体に固定されることで、上記山部（２０）とネット素材が交互に視認可能とする帯状ネット（３０）と、を備え、
２つ折りにされた上記帯状ネット（３０）は、カツラベース本体の表側に現れる幅寸法（Ｌ）が、カツラベース本体の裏側に現れる幅寸法（Ｍ）よりも長く設定されていることを特徴とする、カツラベース。
【請求項２】
上記帯状ネットの折線（３１）が、上記複数の山部の少なくとも１つの頂点（２１）と接触している、請求項１記載のカツラベース。
【請求項３】
上記カツラベース本体の波形状に形成された上記前頭周縁に、ほつれ防止用のコーティングが施されていて、
当該コーティングが施された領域は、その他の領域よりも濃い色に着色されている、請求項１または２記載のカツラベース。
【請求項４】
請求項１〜３のいずれか１つに記載のカツラベース（１１）に擬毛（４０）を植えてなる、カツラ。
【請求項５】
上記擬毛（４０）は、
帯状ネット（３０）に対しては、上記折線（３１）の上、およびカツラベース本体の表側に現れる領域にのみ植えられており、
カツラベース本体（１０）に対しては、上記帯状ネット（３０）に挟まれた領域以外の領域にのみ植えられている、請求項４記載のカツラ。
【発明の詳細な説明】
【技術分野】
【０００１】
本発明は、着用者の額に位置する前頭周縁に迷彩機能を備えるカツラベース、およびそのカツラベースに擬毛を植えて構成されるカツラに関する。
【背景技術】
【０００２】
一般的にカツラは、頭部形状にフィットするよう成形した合成樹脂シートまたはネット部材からなるカツラベースに、擬毛（人工毛または天然毛）を植設して構成される。カツラベースは、頭部に沿った形状保持性、擬毛の植設作業性、および耐久性等の観点から、所定の厚みが要求される。
しかし、このカツラベースの厚み故に、装着時においてカツラと頭部の境目に段差が生じることになり、特に、前頭部生え際領域において不自然な外観になり、カツラ装着が視認され易い。
【０００３】
この前頭部生え際部分に迷彩効果を与えるため、特許文献１では、カツラ前頭端部を波打ち形状として、且つ該波打ち形状部分を合成樹脂で硬化させている。これにより、前頭端部の捲れ上り、反り、丸まりが防止される。
【０００４】
また、特許文献２では、カツラベースの周端部に芯材を配置し、その上から迷彩用ネットでカツラベースごと包み込むことが開示されている。
【先行技術文献】
【特許文献】
【０００５】
【特許文献１】特開２０１３−４７４００号
【特許文献２】実公平８−３２９号
【０００６】
特許文献１のカツラは、カツラ前頭部の波打ち形状部分に接着剤を塗布して硬化させることで、捲れ上り等を防止して前頭部生え際の自然感を出しており、これは、前頭部自毛が脱毛した着用者を想定したものである。
これとは異なり、前頭部に自毛がある場合や、脱毛部の隠蔽を目的としない所謂おしゃれカツラの場合は、カツラ前頭部を波打ち形状とするのは好ましくない。何故なら、自毛とカツラの擬毛とを馴染ませてヘアスタイルを形成するので、カツラ前頭部分が波打ち形状であると、自毛とカツラの擬毛との陰影により、逆に波打ち形状が際立ち不自然な外観を呈するからである。また、スタイルセット時に波打ち形状部分に自毛が接することで、波打ち形状部分のほつれ、反り、捲れが発生して、カツラの耐久性が著しく低下する。
【０００７】
特許文献２のカツラは、カツラベースの周端部に配置した芯材を迷彩用ネットで包み込んだ構成により、特許文献１のようなカツラ先端部の耐久性低下は抑えられるが、芯材とカツラベースとの接合部が直線状に見えて不自然な外観となり、カツラの装着が視認され易い。
また、芯材をカツラベースに配置する構造のため、接合部が厚くなり、自由度が低下して、カツラ装着時のフィット感が失われる。また、接合部の亀裂や破損が起こり易く、耐久性低下に繋がる。
【発明の概要】
【発明が解決しようとする課題】
【０００８】
上記従来技術の現状に鑑み、本発明の目的は、前頭部に自毛が残存している着用者が使用した場合であっても十分な耐久性が得られるとともに、前頭部における迷彩効果も高いカツラを提供することである。
【課題を解決するための手段および効果】
【０００９】
本発明のカツラベースは、「前頭周縁が複数の山部を含む波形状に形成されているカツラベース本体」と「折線において２つ折りにした状態で、上記前頭周縁の山部を挟み込むようにしてカツラベース本体に固定された帯状ネット」とを備える。
上記構成のカツラベースに擬毛を植えて得られるカツラにおいては、カツラベース本体の山形の端縁の上に帯状ネットが被せられているため、帯状ネットを通して内側の山部が見える。すなわち、ネット部材と山部とが交互に見えて、これにより迷彩効果を高めることができる。
また、山部（カツラベース本体の端縁）が帯状ネットで覆われているので、着用者の前頭部に自毛が残存している場合でも、その自毛が山部に直接触れるのを防止できる。これにより、山部におけるカツラベース本体の「ほつれ」、「よれ」、「しわ」等を防止して、耐久性を高めることができる。
【００１０】
上記カツラベースにおいては、帯状ネットの折線は、上記複数の山部にできるだけ近接していることが好ましい。近接している程、「ネット部材と山部とが交互に見えることによる迷彩効果」が高くなるからである。山部の頂点が複数存在するが、その内の少なくとも１つの頂点が折線に接していることが、さらに好ましい。
【図面の簡単な説明】
【００１１】
【図１】本発明の一実施形態に係るカツラベースを説明する概略分解斜視図。
【図２】図１のカツラベースについて、カツラベース本体と帯状ネットを固定した状態を示す上面図。
【図３】カツラベース本体への帯状ネットの固定態様について、好ましい具体例を説明する図。
【図４】カツラベース本体の山部周辺領域にコーティングを施す具体例を説明する図。
【図５】カツラベースに対する擬毛の植毛位置について、好ましい具体例を示す説明図。
【発明を実施するための形態】
【００１２】
本発明の実施形態を、添付の図面を参照して以下に説明する。図１（ａ）は、本発明の一実施形態に係るカツラベース１１を説明する概略分解斜視図である。カツラベース１１は、着用者の頭部に沿うようドーム状に形成されたカツラベース本体１０と、カツラベース本体１０の前頭周縁に固定される帯状ネット３０とで構成される。図５を参照して後述するが、このカツラベース１１に対して擬毛４０を植えて、カツラが構成される。
【００１３】
《カツラベース本体１０および帯状ネット３０》
カツラベース本体１０は、着用者の前頭部に対応する前頭周縁が、複数の山部２０を含む波形状に形成されている。そして、この前頭周縁を挟み込むようにして、帯状ネット３０が２つ折り状態でカツラベース本体１０に固定される。
カツラベース本体１０は、ネット部材または合成樹脂シート等、適宜の材料から構成することができる。帯状ネット３０はネット部材で構成されていて、内側に存在する山部２０を外部から視認することができる。
【００１４】
カツラベース本体１０をネット部材で構成する場合、その作製方法の一例は次の通りである。まず、着用者の頭部形状を模した雄型の上にネット部材を張り、そのネット部材の上から熱硬化性樹脂の溶液（例えば、２剤型の熱硬化性樹脂を有機溶剤で溶解したもの）を塗布する。その後、約１００℃の温度に約８時間置いて硬化させることで、ドーム状のカツラベース本体１０となる。その後、ハサミ等を用いて前頭周縁を波形にカットする。
カツラベース本体１０は、迷彩効果を高めるため人肌に似せて作製されるが、使用するネット部材の糸径やメッシュ粗さは任意に設定することができる。
【００１５】
図１（ｂ）は、図１（ａ）中のｂ−ｂ線断面図を示している。図１（ｂ）では、帯状ネット３０がカツラベース本体１０に縫着固定される直前の状態を示している。帯状ネット３０は、図１（ｂ）中に一点鎖線で示した縫着位置において固定される。図示の例では、帯状ネット３０の端縁３０ａをカツラベース本体１０側へと折り込んだ状態で縫着を行っている。これは、帯状ネット３０の「ほつれ」等を防ぐ意味で有効であるが、本発明においては任意の構成である。
【００１６】
図２は、帯状ネット３０がカツラベース本体１０に固定された状態での両者の相対位置関係を示している。図２は、カツラベース１１を上方から見た図である。
図２に示したように、本発明では、カツラベース１１の前頭部側において、カツラベース本体の端縁を波形状に構成し、その上から帯状ネット３０を被せている。そのため、帯状ネット３０を通して内側の山部２０が見える。すなわち、ネット部材と山部とが交互に見えて、これにより迷彩効果を高めることができる。
また、山部２０（カツラベース本体１０の端縁）が帯状ネット３０で覆われているので、着用者の前頭部に自毛が残存している場合であっても、その自毛が山部２０に直接触れることを防止できる。これにより、山部２０におけるカツラベース本体の「ほつれ」、「よれ」、「しわ」等を防止して、耐久性を高めることができる。
【００１７】
帯状ネット３０は折線３１において２つ折りにされるが（図１参照）、図２中に部分的に拡大して示したように、折線３１はできるだけ山部の頂点２１に近接していることが好ましい。近接している程、「ネット部材と山部とが交互に見えることによる迷彩効果」が高くなるからである。特に、図２中で下方の楕円領域内に示したように、複数の山部の頂点２１が帯状ネットの折線３１と接触（圧接）する場合には、帯状ネット３０の外周線（折線３１）が山部２０の影響で微妙に蛇行して、優れた迷彩効果を得ることができる。
このように、山部の頂点２１は複数存在するが、少なくとも１つ（できるだけ多く）の頂点２１が折線３１に接していることが好ましい。
【００１８】
《カツラベース本体１０の裏表における帯状ネット３０の幅寸法》
図１（ｂ）に示したように、２つ折りにされた帯状ネット３０は、カツラベース本体１０の表側に現れる幅寸法“Ｌ”が、カツラベース本体１０の裏側に現れる幅寸法“Ｍ”よりも長く設定することが好ましい。その理由を、図３を参照して説明する。
図３（ａ）は、図１（ｂ）に示した構成を転載したものであって、“Ｌ”が“Ｍ”よりも長く設定されている。このような構成により、カツラベースの周縁から内方へ向かって（すなわち、図３中左から右へ向かって）、「３層構造」、「２層構造」、「１層構造」と、カツラベースが徐々に薄くなるように変化することが分かる。
それと比べて、図３（ｂ）では、“Ｌ”と“Ｍ”が等しくなっており、この場合には、「３層構造」から「１層構造」へと急激に厚みが変動する。このような構成では、厚みの変動部（境界部）において、カツラベースに折れが生じやすいので好ましくない。
図３（ｃ）では、“Ｍ”が“Ｌ”よりも長く設定されている。この場合には、徐々に厚みが変動するという意味では図３（ａ）と同じであるが、裏側の幅寸法“Ｍ”の方が長いが故に、矢印Ｘで示したように、カツラベース本体１０の周縁が上方へ反り上がり易いという点で好ましくない。
以上のことから、帯状ネット３０は、図３（ａ）に示したように、カツラベース本体１０の表側に現れる幅寸法“Ｌ”が、カツラベース本体１０の裏側に現れる幅寸法“Ｍ”よりも長いことが好ましい。
【００１９】
“Ｌ”および“Ｍ”の具体的な寸法および比率は、適宜定めることができる。例えば、“Ｌ”＝１０ｍｍ、“Ｍ”＝４ｍｍとすることができ、その場合“Ｌ”：“Ｍ”＝５：２となる。この寸法の帯状ネット３０を採用する場合、山部２０の高さ寸法を３ｍｍとすれば山部２０全体を帯状ネット３０で覆うことができるが、本発明において、山部２０の高さ寸法は任意に設定可能である。
【００２０】
《ほつれ防止用コーティングを施す例》
図４は、カツラベース本体１０の山部２０を含む前頭周縁領域にコーティングを施した例を示している。既に説明したように、山部２０を含む前頭周縁領域は、その上から帯状ネット３０で覆われて保護されるので、「ほつれ」等はある程度防止できる。しかし、コーティングを施すことでさらに耐久性を高めることができる。コーティングには任意の材料を使用することができるが、例えばポリウレタン等、カツラの分野で一般的に知られているものを使用する。
【００２１】
また、コーティングを利用して、当該コーティング領域をそれ以外の領域よりも濃い色に着色すれば、次のようなメリットがある。すなわち、着用者の前頭部に残存する自毛が比較的多い場合、山部周辺は、肌色よりも毛髪色に近い、濃い色の方が迷彩効果が高まる場合もある。その場合には、コーティング自体を濃い色として、耐久性および迷彩効果の両方を高めることができる。
なお、着用者の前頭部に残存する自毛が比較的少ない場合には、コーティング領域も肌色に近い方が迷彩効果が高いと考えられる。
【００２２】
コーティング領域の拡がりは任意に設定することができるが、例えば、山部の頂点２１から５ｍｍの幅領域にコーティングを施す。なお、コーティングを施す場合は、ドーム状のカツラベース本体１０に対して、まずコーティングを施し、その後で、ハサミ等を用いてカツラベース本体１０の前頭周縁を波形にカットすることが好ましい。
【００２３】
《カツラベース１１に対する好ましい植毛位置》
図５に示したように、カツラベース１１に対して、擬毛４０（人工毛または天然毛）を植えることでカツラが構成される。擬毛４０を植える位置に関して、好ましい例を説明する。なお図５では、説明を明瞭にするため、帯状ネット３０はカツラベース本体１０から浮かせた状態で図示している。また、擬毛４０の本数も、実際よりも少なく描いている。
まず、帯状ネット３０に対して植毛する位置は、「（イ）折線３１の上」および「（ロ）カツラベース本体の表側に現れる領域」とする。また、カツラベース本体１０に対して植毛する位置は、「（ハ）帯状ネット３０に挟まれた領域以外の領域」とする。図５において擬毛４０（イ）、４０（ロ）、４０（ハ）は、各領域に植毛された擬毛を代表的に図示したものである。
【００２４】
帯状ネット３０の頭皮と接触する側に植毛すると、装着時にその部分が浮き上がるので好ましくない。また、カツラベース本体１０の帯状ネット３０で覆われる領域（山部２０等）に植毛すると植毛時の結び目が目立って不自然な外観となるので、これも好ましくない。
【符号の説明】
【００２５】
１０  カツラベース本体
１１  カツラベース
２０  山部
２１  山部の頂点
３０  帯状ネット
３１  帯状ネットの折線
４０  擬毛
【要約】
【課題】前頭部に自毛が残存している着用者が使用した場合であっても十分な耐久性が得られるとともに、前頭部における迷彩効果も高いカツラを提供する。
【解決手段】
前頭周縁が複数の山部２０を含む波形状に形成されているカツラベース本体１０と、折線３１において２つ折りにした状態で、上記前頭周縁の山部２０を挟み込むようにしてカツラベース本体に固定された帯状ネット３０と、によってカツラベースを構成する。このカツラベースを利用したカツラにおいては、前頭周縁において、ネット部材と山部とが交互に見えるので迷彩効果を高めることができる。また、山部２０（カツラベース本体１０の端縁）が帯状ネット３０で覆われているので、カツラベース本体の「ほつれ」、「よれ」、「しわ」等を防止して、耐久性を高めることができる。
【選択図】図２【図１】
0005689555.tif 000002
【図２】
0005689555.tif 000003
【図３】
0005689555.tif 000004
【図４】
0005689555.tif 000005
【図５】
0005689555.tif 000006